(57)【要約】【課題】常時、所望の方向の撮影が可能であり、遠隔地からであっても映像情報を容易に確認することができる。【解決手段】カメラユニット４０は、携帯端末６０又は情報処理装置７０からの操作指令信号に基づいてカメラ４６の方向を変更可能であり、カメラ４６で撮影した映像情報を情報処理装置７０に送信可能であるため、所望の方向を所望のタイミングで撮影し、撮影した情報を離れた場所である携帯端末６０や情報処理装置７０で容易に確認することができる。【選択図】図１
2016039543.tif 000002
【特許請求の範囲】
【請求項１】
直管型ＬＥＤをソケット部に取り付けて使用するＬＥＤ照明用のカメラユニットであって、
前記ソケット部に取り付けられる取付部と、
前記直管型ＬＥＤを取り付けて前記直管型ＬＥＤに電力を供給する電力供給部と、
対象を撮影するレンズの方向を外部からの信号に基づいて変更可能な撮影手段と、
前記撮影手段で撮影された映像を含む映像情報の送信及び前記レンズの方向を変更するための変更指令信号の受信を行う通信手段と、
前記変更指令信号に基づいて前記撮影手段を制御する制御手段と、
を備えたことを特徴とする、
カメラユニット。
【請求項２】
請求項１に記載のカメラユニットであって、
前記映像情報を記憶する記憶手段と、
を備え、
前記制御手段は、前記記憶手段に記憶された前記映像情報を所定のタイミングで前記通信手段を用いて外部に送信することを特徴とする、
カメラユニット。
【請求項３】
前記制御手段は、前記記憶手段に記憶可能な記憶容量が所定の値以下となった場合に、前記通信手段により前記映像情報を送信した後に、前記映像情報を前記記憶手段から削除することを特徴とする、
請求項２に記載のカメラユニット。
【請求項４】
前記制御手段は、前記電力供給部から前記直管型ＬＥＤに供給される電力をＯＮ又はＯＦＦに制御することを特徴とする、
請求項１から３のいずれか１項に記載のカメラユニット。
【請求項５】
請求項１から４のいずれか１項に記載のカメラユニットであって、
音を集音する集音手段と、
を備えたことを特徴とする、
カメラユニット。
【請求項６】
請求項１から５のいずれか１項に記載のカメラユニットであって、
音声を放音する放音手段と、
を備え、
前記通信手段は、前記放音手段で放音する音声データを受信することを特徴とする、
カメラユニット。
【請求項７】
請求項１から６のいずれか１項に記載のカメラユニットであって、
電力を貯蓄する電力貯蓄手段と、
を備えることを特徴とする、
カメラユニット。
【請求項８】
前記ソケット部に取り付けられた請求項１から７のいずれかに記載のカメラユニットと、
前記取付部に取り付けられた前記直管型ＬＥＤと、
を備えたことを特徴とする、
ＬＥＤ照明。
【請求項９】
請求項１から７のいずれか１項に記載のカメラユニットと、
前記カメラユニットと電気通信回線を介して接続され、前記カメラユニットを操作する携帯型端末と、
を備えた遠隔カメラシステム。
【請求項１０】
請求項１から７のいずれか１項に記載のカメラユニットと、
前記カメラユニットと電気通信回線を介して接続された情報処理装置と、
を備え、
前記情報処理装置は、前記カメラユニットから送信された前記映像情報を記憶することを特徴とする、
遠隔カメラシステム。
【請求項１１】
請求項１から７のいずれか１項に記載の複数のカメラユニットと、
前記カメラユニットと電気通信回線を介して接続され、前記カメラユニットを操作する携帯型端末と、
前記カメラユニットと電気通信回線を介して接続された情報処理装置と、
を備え、
前記情報処理装置は、前記カメラユニットから送信された前記映像情報を記憶し、前記携帯型端末に前記映像情報及び前記映像情報が撮影されたカメラユニットに関する情報を送信することを特徴とする、
遠隔カメラシステム。
【発明の詳細な説明】
【技術分野】
【０００１】
本発明は、カメラユニット、カメラユニットを有するＬＥＤ照明及びカメラユニットを含む遠隔カメラシステムに関する。
【背景技術】
【０００２】
従来から、防犯カメラが取り付けられたＬＥＤ照明が知られている。例えば、特許文献１では、照明装置の照明部に取り付けられ、物体の接近を検出する検出部及び撮影部を有し、可動部によって検出部の検出方向又は撮影部の撮影方向が変更可能かＬＥＤ照明が記載されている。このＬＥＤ照明では、検出部によって接近を検出した際に、撮影部の撮影方向が変更可能であるため、複数の方向の撮影を行うことができる。
【先行技術文献】
【特許文献】
【０００３】
【特許文献１】特開２０１４−１１０１８１号公報
【発明の概要】
【発明が解決しようとする課題】
【０００４】
しかしながら、こうしたＬＥＤ照明では、撮影部で撮影した映像情報を内蔵する記憶媒体に記憶しているため、遠隔地から映像情報を容易に確認することができないという課題がある。また、記憶媒体の記憶容量は限られているため、記憶媒体の容量以上に映像情報を記憶することができず、必要な映像情報を得られない可能性があるという課題がある。
【０００５】
本発明は、このような課題に鑑みなされたものであり、常時、所望の方向の撮影が可能であり、遠隔地からであっても映像情報を容易に確認することができるカメラユニットを提供することを主目的とする。
【課題を解決するための手段】
【０００６】
本発明は、上述の主目的の少なくとも１つを達成するために以下の手段を採った。
【０００７】
本発明のカメラユニットは、
直管型ＬＥＤをソケット部に取り付けて使用するＬＥＤ照明用のカメラユニットであって、
前記ソケット部に取り付けられる取付部と、
前記直管型ＬＥＤを取り付けて前記直管型ＬＥＤに電力を供給する電力供給部と、
対象を撮影するレンズの方向を外部からの信号に基づいて変更可能な撮影手段と、
前記撮影手段で撮影された映像を含む映像情報の送信及び前記レンズの方向を変更するための変更指令信号の受信を行う通信手段と、
前記変更指令信号に基づいて前記撮影手段を制御する制御手段と、
を備えたことを特徴とする、
ものである。
【０００８】
このカメラユニットでは、直管型ＬＥＤに代えて取付部をＬＥＤ照明のソケット部に取り付け、カメラユニットの電力供給部に直管型ＬＥＤを取り付けることで、ＬＥＤ照明に容易に取り付けることができる。このとき、カメラユニットは外部からの変更指令信号に基づいてレンズの方向を変更することができるため、所望の方向を撮影することができる。加えて、撮影手段で撮影された映像情報を送信する通信手段を有しているため、記憶媒体の容量に制限されることなく映像情報を記憶可能であり、この映像情報を遠隔地でも容易に確認することができる。
【０００９】
本発明のカメラユニットは、前記映像情報を記憶する記憶手段と、を備え、前記制御手段は、前記記憶手段に記憶された前記映像情報を所定のタイミングで前記通信手段を用いて外部に送信することを特徴としてもよい。この態様を採用した本発明のカメラユニットにおいて、前記制御手段は、前記記憶手段に記憶可能な記憶容量が所定の値以下となった場合に、前記通信手段により前記映像情報を送信した後に、前記映像情報を前記記憶手段から削除することを特徴としてもよい。こうすれば、撮影手段によって撮影された映像情報が所定のタイミングで送信されることになるため、映像情報を遠隔地から容易に確認することができる。加えて、映像情報は送信された後に削除されるため、記憶手段の記憶容量に制限されることなく、映像情報を撮影・記憶することができる。
【００１０】
本発明のカメラユニットにおいて、前記制御手段は、前記電力供給部から前記直管型ＬＥＤに供給される電力をＯＮ又はＯＦＦに制御することを特徴としてもよい。こうすれば、カメラユニットを操作することによって直管型ＬＥＤをＯＮ又はＯＦＦにすることができるため、例えば、撮影時に光量が少ない場合に直管型ＬＥＤを点灯したり、昼間等で直管型ＬＥＤの点灯が必要ない場合に直管型ＬＥＤを消灯したりすることができる。付言すると、光量が不十分な場合には、直管型ＬＥＤを点灯することで十分な光量を確保し明確な映像を撮影し、光量が十分な場合には、直管型ＬＥＤを消灯することで省電力に資することができる。
【００１１】
本発明のカメラユニットは、音を集音する集音手段と、を備えたことを特徴としてもよい。こうすれば、映像情報に加えて音声情報を得ることができるため、例えば、撮影手段の撮影範囲外で異常が生じた場合であっても、音声情報によって異常の発生を確認することができる。
【００１２】
本発明のカメラユニットは、音声を放音する放音手段と、を備え、前記通信手段は、前記放音手段で放音する音声データを受信することを特徴としてもよい。こうすれば、外部から音声データをカメラユニットに送信することで、放音手段から音声を放音することができるため、例えば、撮影手段等で異常を発見した場合に、カメラユニットの周囲に異常を報知したり警告を発したりすることができる。
【００１３】
本発明のカメラユニットは、電力を貯蓄する電力貯蓄手段と、を備えることを特徴としてもよい。こうすれば、ＬＥＤ照明に電力が供給されない場合であっても、カメラユニットで撮影することができる。また、ＬＥＤ照明に電力が供給されない場合であっても、直管型ＬＥＤを点灯することができる。
【００１４】
本発明のＬＥＤ照明は、前記ソケット部に取り付けられた上述したいずれかに記載のカメラユニットと、前記取付部に取り付けられた直管型ＬＥＤと、を備えたことを特徴とするものである。このＬＥＤ照明は、上述したいずれかに記載のカメラユニットを有しているため、上述したカメラユニットと同様の効果、例えば、記憶媒体の容量に制限されることなく映像情報を記憶可能であり、この映像情報を遠隔地でも容易に確認することができるという効果が得られる。
【００１５】
本発明の遠隔カメラシステムは、上述したいずれかのカメラユニットと、前記カメラユニットと電気通信回線を介して接続され、前記カメラユニットを操作する携帯型端末と、備えたことを特徴とするものである。この遠隔カメラシステムは、上述したいずれかに記載のカメラユニットを有しているため、上述したカメラユニットと同様の効果、例えば、記憶媒体の容量に制限されることなく映像情報を記憶可能であり、この映像情報を遠隔地でも容易に確認することができるという効果が得られる。
【００１６】
本発明の遠隔カメラシステムは、上述したいずれかのカメラユニットと、前記カメラユニットと電気通信回線を介して接続された情報処理装置と、を備え、前記情報処理装置は、前記カメラユニットから送信された前記映像情報を記憶することを特徴とするものであってもよい。こうすれば、カメラユニットから送信された映像情報を情報処理装置で記憶することができる。このため、例えば、記憶媒体の容量に制限されることなく映像情報を記憶可能であり、この映像情報を遠隔地でも容易に確認することができるという効果が得られる。
【００１７】
本発明の遠隔カメラシステムは、上述したいずれかのカメラユニットと、前記カメラユニットと電気通信回線を介して接続され、前記カメラユニットを操作する携帯型端末と、前記カメラユニットと電気通信回線を介して接続された情報処理装置と、を備え、前記情報処理装置は、前記カメラユニットから送信された前記映像情報を記憶し、前記携帯型端末に前記映像情報及び前記映像情報が撮影されたカメラユニットに関する情報を送信することを特徴とすることができる。こうすることにより、前記カメラユニットで撮影された映像情報を、カメラユニットに関する情報と共に、携帯型端末に提供することができる。こうすることにより、複数のカメラユニットで撮影した映像情報を携帯型端末で容易に確認することができる。
【図面の簡単な説明】
【００１８】
【図１】図１は、カメラユニット４０の構成の概略を示すブロック図である。
【図２】図２は、制御ユニット５０の電気的な接続を示すブロック図である。
【図３】図３は、映像情報管理処理ルーチンの一例を示すフローチャートである。
【発明を実施するための形態】
【００１９】
次に、本発明の実施の形態の一例として、遠隔カメラシステム２０について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号を付す。また、映像情報送信処理ルーチンの一例を説明することに、本発明のカメラユニットの制御方法の一例も明らかにする。
【００２０】
遠隔カメラシステム２０は、複数のＬＥＤ照明３０にそれぞれ取り付けられたカメラユニット４０と、複数の携帯端末６０と、情報処理装置７０と、が電気通信回線を介して接続されたシステムである。この遠隔カメラシステム２０は、カメラユニット４０で撮影された映像情報が情報処理装置７０に送信され、情報処理装置７０に記憶される。また、携帯端末６０からの要求により、情報処理装置７０は、携帯端末６０に映像情報及びいずれのカメラユニット４０でこの映像情報が撮影されたかを示す情報を携帯端末６０に送信する。こうすることにより、複数の携帯端末６０で、複数のカメラユニット４０のいずれかで撮影された映像情報を容易に確認することができる。なお、ここで、いずれのカメラユニット４０でこの映像情報が撮影されたかを示す情報としては、カメラユニット４０のシリアル番号等の個体識別番号であってもよいし、ＩＰアドレス等の電気通信回線において特定される識別情報であっても良い。
【００２１】
ＬＥＤ照明３０は、図１に示すように、直管型ＬＥＤ３２を取り付け可能なソケット部３４を有する照明装置であり、このソケット部３４にカメラユニット４０の挿入部４２を、電力供給部４４に直管型ＬＥＤ３２を、それぞれ取り付けて使用する。こうすることにより、図示しない電源から供給された電力をソケット部３４を介してカメラユニット４０に供給すると同時に、電力供給部４４から直管型ＬＥＤ３２に電力を供給することで、直管型ＬＥＤ３２を点灯することができる。このように、従来直管型ＬＥＤ３２が取り付けられていたソケット部３４にカメラユニット４０の挿入部４２を取り付けて電気的に接続し、直管型ＬＥＤ３２を電力供給部４４に取り付けるという容易な操作で、カメラユニット４０をＬＥＤ照明３０に取り付けることができる。
【００２２】
カメラユニット４０は、図１に示すように、ソケット部３４に取り付けられる挿入部４２と、電気を充放電するバッテリ４３と、直管型ＬＥＤ３２が取り付けられる電力供給部４４と、対象を撮影するカメラ４６と、周囲の音を集音するマイク４７と、音声を放音するスピーカ４８と、外部と通信する通信手段４９と、カメラユニット４０のそれぞれの動きを制御する制御ユニット５０と、を主に備えている。このカメラユニット４０は、カメラ４６で撮影した映像情報を通信手段４９を介して情報処理装置７０に送信する。こうすることにより、カメラ４６で撮影した映像情報を離れた場所である情報処理装置７０で容易に確認することができる。
【００２３】
バッテリ４３は、繰り返し充放電が可能な蓄電池であり、例えば、リチウムイオン電池やニッケル・水素蓄電池等、既存の種々の蓄電池を使用することができる。こうすることにより、例えば、直管型ＬＥＤ３２を点灯する際にはＬＥＤ照明３０に電力を供給し、直管型ＬＥＤ３２を消灯している際には、ＬＥＤ照明３０に電力を供給することなく、バッテリ４３からの電力によりカメラユニット４０を動作することができる。このため、ＬＥＤ照明３０に常時電力を供給することなく、カメラ４６で撮影することができる。また、外部からの電力供給が何らかの理由で絶たれた場合であっても、カメラユニット４０が作動することができるため、防犯目的で使用する場合には、バッテリ４３を備えている効果が大きい。
【００２４】
電力供給部４４は、直管型ＬＥＤ３２を取り付け可能な部材であり、直管型ＬＥＤ３２と螺合して電力を供給する。この電力供給部４４は、電源トランス４４ａを有しているため、外部から交流電流が供給された際に、直流電流に変換し、電圧や電流を安定化させて、直管型ＬＥＤ３２に供給することができる。こうすることにより、直管型ＬＥＤ３２を安定に動作させることができる。なお、電源トランス４４ａは無くともよい。このような場合には、ＬＥＤ照明３０に電力を供給する際、予め安定させた直流電流等を供給すればよい。
【００２５】
カメラ４６は、本発明の撮影手段に相当し、動画を撮影可能な公知のデジタルビデオカメラである。このカメラ４６で撮影された映像情報は、通信手段４９よって、電気通信回線を介して情報処理装置７０に送信され、記憶される。このとき、映像情報はカメラ４６で撮影された際に随時送信するものであってもよいし、一定時間又は一定容量撮影した後に、送信するものであってもよい。一定時間又は一定容量撮影した後に送信すれば、消費電力量を低減することができる。また、カメラ４６は、写真を撮影するデジタルカメラであってもよい。こうすることにより、映像情報の情報量を低減し、情報処理装置７０に送信する際の通信量を低減することができる。なお、映像情報には、シリアル番号やＩＤ等、撮影されたカメラ４６を特定することができる情報が含まれていてもよい。こうすれば、複数台のカメラユニット４０を同時に使用する場合であっても、いずれで撮影された映像情報か容易に確認することができる。
【００２６】
このカメラ４６は、カメラユニット４０にカメラ４６の方向を調節可能に取り付けられており、携帯端末６０又は情報処理装置７０からの指令により、任意の方向を向けたり、撮影の開始又は停止を行ったりすることができる。こうすることにより、カメラ４６の方向が固定されている場合と比較して、広範囲を撮影することができる。このとき、カメラ４６を調節可能に取り付ける方法は、公知の種々の方法を用いることができる。例えば、ボールジョイント（球継手）を用いて回転可能に取り付けてもよい。
【００２７】
マイク４７は、本発明の集音手段に相当し、音声情報を取得する公知の集音装置を使用することができる。このとき、マイク４７は、携帯端末６０又は情報処理装置７０からの指令により、録音の開始又は停止を行うことができる。こうすることにより、所望のタイミングで録音の開始又は停止を行うことができるため、常時録音している場合と比較して、消費電力を低減することができる。また、マイク４７として、指向性の高いマイクを用いてもよい。このようなマイクを使用し、カメラ４６の撮影方向と同方向にマイク４７を向けることで、カメラ４６で撮影している方向の音のみを選択的に録音することができる。こうすることで、カメラ４６で撮影されている場面の状況に関する情報をより詳細に得ることができる。
【００２８】
スピーカ４８は、本発明の放音手段に相当し、公知のスピーカを使用することができる。このとき、スピーカ４８は、携帯端末６０又は情報処理装置７０からの指令により、任意の音を放音することができる。こうすることにより、カメラ４６又はマイク４７から入手した情報を携帯端末６０又は情報処理装置７０に送信するだけでなく、携帯端末６０又は情報処理装置７０からスピーカ４８を介して音声を放音することができる。こうすることにより、携帯端末６０又は情報処理装置７０で映像情報を確認し、必要に応じてスピーカ４８から音声を放音することができる。このとき、スピーカ４８から放音される音声は、後述する制御ユニット５０に予め記憶されたものを携帯端末６０又は情報処理装置７０からの指令信号により放音するものであってもよいし、携帯端末６０又は情報処理装置７０から送信された音声データを放音するものであってもよい。音声データを制御ユニット５０に予め記憶することで携帯端末６０又は情報処理装置７０との通信量を低減することができ、また、音声データを携帯端末６０又は情報処理装置７０から送信することで、任意の音声データを再生することができる。
【００２９】
通信手段４９は、携帯端末６０又は情報処理装置７０と通信可能な公知の無線通信手段であり、例えば、Ｗｉ−Ｆｉ規格やＷｉＭＡＸ規格等の無線通信手段を用いることができる。この通信手段４９及び電気通信回線を介して、カメラユニット４０から映像情報を携帯端末６０又は情報処理装置７０に送信し、携帯端末６０又は情報処理装置７０からの操作指令信号や音声情報等を受信することができる。
【００３０】
制御ユニット５０は、図２に示すように、ＣＰＵ５１を中心とするマイクロコンピュータであり、後述する映像情報送信処理ルーチンやカメラユニット４０の動きを制御する種々の制御プログラム等を記憶するＲＯＭ５２と、外部からの入力信号等を一時的に記憶するＲＡＭ５４と、カメラ４６及びマイク４７、スピーカ４８等の各種デバイスとの通信を制御するインタフェース５６（以下、「Ｉ／Ｆ５６」という。）と、映像情報等の大容量の情報が記憶可能な記憶手段５８と、によって構成されており、バス５９によりそれぞれが電気的に接続されている。この制御ユニット５０により、カメラ４６やマイク４７、スピーカ４８等の各種デバイスを制御することが可能であり、携帯端末６０や情報処理装置７０からの指令信号に従って、カメラユニット４０を操作することができる。なお、この制御ユニット５０は、同様の制御が可能なＩＣチップ等を用いてもよい。こうすることにより、カメラユニット４０をより小型・軽量化することができる。
【００３１】
記憶手段５８は、情報の記憶が可能な公知の種々の記憶手段を利用することができる。この記憶手段としては、例えば、ＤＲＡＭ等の揮発性メモリであってもよいし、磁気記憶装置等の不揮発性メモリであってもよい。カメラユニット４０にはバッテリ４３が備えられているため、バッテリ４３からの電力供給により、揮発性メモリを使用した場合であっても、映像情報を記憶することができる。また、例えば、防犯カメラとして使用する場合には、不揮発性メモリを使用することがより好ましい。こうすることにより、バッテリ４３の電力が完全に放電された後であっても、映像情報を記憶することができる。このとき、不揮発性メモリとしては、ハードディスクドライブや磁気ディスク等の大容量記憶手段を用いても良いし、ＵＳＢメモリやＳＤカード等の各種メモリーカード等を用いてもよい。各種メモリーカード等を用いることにより、容易に記憶手段５８の回収が可能となり、カメラユニット４０の一部（例えば、通信手段４９やバッテリ４３等）が何らかの理由で動作しなくなった場合であっても、映像情報を得ることができる。
【００３２】
次に、記憶手段５８に記憶された映像情報の送信方法について、図３を用いて詳しく説明する。ここで、図３は、映像情報送信処理ルーチンの一例を示すフローチャートである。この映像情報送信処理ルーチンは、カメラ４６によって撮影された映像情報が記憶手段５８に記憶されると、繰り返し実行される。カメラ４６によって撮影された映像情報が記憶手段５８に記憶されると、ＣＰＵ５１は、記憶手段５８に記憶可能な残りの容量を算出し（ステップＳ１１０）、残りの容量が閾値以上であるか否かを判定する（ステップＳ１２０）。なお、ここで閾値とは、値ゼロ以上、記憶手段５８の容量以下の任意の値である。
【００３３】
ステップＳ１２０において、残りの容量が閾値以上であるとＣＰＵ５１が判定した場合には、本ルーチンを終了する。このような場合には、記憶手段５８には映像情報を記憶可能な容量が残されているため、引き続き映像情報を記憶することができる。
【００３４】
一方、ステップＳ１２０において、残りの容量が閾値未満であるとＣＰＵ５１が判定した場合には、記憶手段５８に記憶されている映像情報を情報処理装置７０に送信し（ステップＳ１３０）、記憶手段５８に記憶された映像情報を消去して（ステップＳ１４０）、本ルーチンを終了する。このように、記憶手段５８に記憶された映像情報を情報処理装置７０に送信した後に消去することにより、有限な記憶手段５８を用いて、無限の映像情報を記憶することができる。
【００３５】
以上詳述したように、カメラユニット４０の挿入部４２をＬＥＤ照明３０のソケット部３４に差し込み、電力供給部４４に直管型ＬＥＤ３２を取り付けることで、容易にカメラユニット４０を取り付けることができる。また、このカメラユニット４０は、携帯端末６０又は情報処理装置７０からの操作指令信号に基づいてカメラ４６の方向を変更可能であり、カメラ４６で撮影した映像情報を情報処理装置７０に送信可能であるため、所望の方向を所望のタイミングで撮影し、撮影した情報を離れた場所である携帯端末６０や情報処理装置７０で容易に確認することができる。
【００３６】
また、カメラユニット４０には、記憶手段５８が設けられているため、カメラ４６が撮影した映像情報を記憶することができる。このとき、記憶手段５８に映像情報を一時的に記憶した後、通信手段４９を介して映像情報を送信することにより、通信手段４９を用いて常時通信しなくともよい。こうすることにより、省電力に資する。
【００３７】
更に、記憶手段５８に記憶された映像情報の情報量が所定の閾値以上となった場合には、映像情報を情報処理装置７０に送信し（ステップＳ１２０）、映像情報を消去する（ステップＳ１３０）ため、長時間の映像情報の記憶が可能であり、情報処理装置７０の設けられた離れた場所であっても、映像情報を確認することができる。
【００３８】
更にまた、カメラユニット４０にはマイク４７が設けられているため、カメラ４６で撮影された映像情報に加えて、マイク４７で録音された音声情報を得ることができる。
【００３９】
そして、カメラユニット４０はスピーカ４８が設けられているため、携帯端末６０又は情報処理装置７０からの指令信号に基づいて音声を放音することができる。こうすることにより、例えば、カメラユニット４０付近で異常が発生した場合に、警告音を放音することができる。
【００４０】
そして更に、カメラユニット４０はバッテリ４３が設けられているため、カメラユニット４０に外部から電力が供給されていない状態であっても、バッテリ４３の電力によりカメラユニット４０を稼働させることができる。こうすることにより、昼間等の直管型ＬＥＤ３２を点灯させる必要が無い場合等には、外部からの電力供給を行うことなく、カメラユニット４０を稼働させることができる。
【００４１】
なお、本発明は上述した実施の形態に何ら限定されることはなく、本発明の技術的範囲に属する限り種々の態様で実施し得ることはいうまでもない。
【００４２】
例えば、上述した実施の形態では、電力供給部４４から直管型ＬＥＤ３２に電力を供給するものとしたが、このとき、制御ユニット５０により、直管型ＬＥＤ３２への電力の供給をＯＮ又はＯＦＦにしてもよい。こうすれば、外部電力がＬＥＤ照明３０に常に供給された状態であっても、直管型ＬＥＤ３２をＯＮ又はＯＦＦにすることができるため、省電力に資する。加えて、直管型ＬＥＤ３２への電力の供給を携帯端末６０又は情報処理装置７０からのＯＮ信号又はＯＦＦ信号に基づいてＯＮ又はＯＦＦにすることにより、直管型ＬＥＤ３２のＯＮ又はＯＦＦを離れた場所から制御することができる。
【００４３】
このとき、制御ユニット５０は、電力供給部４４に断続的に電力を供給することで、直管型ＬＥＤ３２を点滅させてもよいし、直管型ＬＥＤ３２への電流量を制御して特定の色（例えば赤色）で光らせてもよい。このように、直管ＬＥＤ３２を通常と異なる状態で点灯されることにより、外部に異常を報知することができる。このような制御は、携帯端末６０又は情報処理装置７０からの指令信号に基づいて実行してもよいが、マイク４７で録音した音声情報又はカメラ４６で撮影された映像情報に基づいてＣＯＵ５１によって実行されるものであってもよい。例えば、女性の悲鳴等である可能性の高い特定の周波数以上の音が音声情報に含まれている場合に実行しても良いし、赤外線カメラや各種センサからの信号に基づいて実行してもよい。こうすることにより、防犯カメラとして使用する場合により効果が大きい。
【００４４】
上述した実施の形態では、マイク４７を設けるものとしたが、録音機能を有するカメラ４６を用いた場合には、マイク４７は設けなくともよい。この場合も、上述した実施の形態と同様の効果が得られる。また、マイク４７は設けなくともよい。
【００４５】
上述した実施の形態では、スピーカ４８を設けるものとしたが、スピーカ４８は無くともよい。
【００４６】
上述した実施の形態では、記憶手段５８を設けるものとしたが、記憶手段５８は無くともよい。このような場合には、カメラ４６で撮影された情報を一時的にＲＡＭ５４に記憶しても良いし、逐次通信手段４９を介して情報処理装置７０に送信すれば良い。こうすることにより、上述した実施の形態と同様の効果が得られる。
【００４７】
上述した実施の形態では、カメラ４６で撮影した映像情報を情報処理装置７０に送信するものとしたが、携帯端末６０に送信してもよい。この場合でも、上述した実施の形態と同様の効果が得られる。
【００４８】
上述した実施の形態では、バッテリ４３を設けるものとしたが、バッテリ４３は無くともよい。この場合でも、上述した実施の形態と同様の効果が得られる。
【００４９】
上述した実施の形態では、携帯端末６０の指令によって直管型ＬＥＤ３２をＯＮ又はＯＦＦにするものとしたが、所定の条件によりＯＮ又はＯＦＦにするよう制御してもよい。ここで、所定の条件とは、例えば、赤外線センサ等のセンサを備え、センサからの信号に基づいてＯＮ又はＯＦＦにしてもよいし、タイマー等の計時手段を備え、予め定められた時間に基づいてＯＮ又はＯＦＦにしてもよい。いずれの場合であっても、上述した実施の形態と同様の効果が得られる。
【００５０】
上述した実施の形態では、通信手段４９は無線通信手段であるものとしたが、有線ＬＡＮ等の通信手段であっても良い。この場合であっても、上述した実施の形態と同様の効果が得られる。
【００５１】
上述した実施の形態では、携帯端末６０又は情報処理装置７０からの指令により、任意の音を放音することとしたが、音を放音する際には、カメラ４６で撮影された映像情報やマイク４７で録音された音声情報に基づいて音を放音するものとしてもよい。こうすることにより、防犯カメラとして使用した場合に、防犯効果を高めることができる。具体的には、例えば、マイク４７で特定の音量以上の音声情報を録音した際に特定の音を放音したり、カメラ４６で撮影された映像情報から顔認識処理により人間の顔が抽出された場合に特定の音を放音したり、マイク４７で録音した音声情報とカメラ４６で撮影された映像情報との組み合わせに基づいて音声を放音したりしてもよい。こうすることにより、遠隔カメラシステム２０によって常時監視されているかのような印象を与えることができるため、より高い防犯効果を得ることができる。
【００５２】
上述した実施の形態において、マイク４７で特定の音量以上の音が録音されたとＣＰＵ５１が判定した場合に、カメラ４６を起動し、撮影を開始するようなステップを有していてもよい。こうすれば、何らかの異常が発生した場合にカメラ４６で撮影が行われるため、常時撮影する場合と比較して、省電力に資する。
【産業上の利用可能性】
【００５３】
上述した実施の形態で示すように、撮影した情報を他の場所で見ることができる撮影装置として、特に、防犯カメラとして利用することができる。
【符号の説明】
【００５４】
２０…遠隔カメラシステム、３０…ＬＥＤ照明、３２…直管型ＬＥＤ、３４…ソケット部、
４０…カメラユニット、４２…挿入部、４３…バッテリ、４４…電力供給部、
４４ａ…電源トランス、４６…カメラ、４７…マイク、４８…スピーカ、
４９…通信手段、５０…制御ユニット、５１…ＣＰＵ、５２…ＲＯＭ、５４…ＲＡＭ、
５６…インタフェース、５８…記憶手段、５９…バス、
６０…携帯端末、７０…情報処理装置。
【図１】
2016039543.tif 000003
【図２】
2016039543.tif 000004
【図３】
2016039543.tif 000005